(57)【要約】【課題】通信圏外から通信圏内に入ったときに送信メッセージを自動発信し送信する場合に、記録された複数の送信メッセージの送信効率を上げ、再送が発生してもその再送回数を減らすことができ、所有者が希望する優先度の高い送信メッセージを優先して送信することができ、リアルタイムに下りメッセージの受信が可能となるようにする。【解決手段】送信メッセージ記録部１５１には網のサーバーに下りメッセージの送信を要求する上りメッセージも記録されている。送信メッセージ優先設定部１５２は、送信メッセージ記録部１５１に記録された送信メッセージの送信順位に優先度を設定する。電界強度測定部１６１にて測定された電界強度レベルがメッセージ送信開始電界強度設定部１５３に設定される電界強度レベルを超えるときに、送信メッセージの自動発信が許可される。【選択図】      図１
2004320166.tif 000002
【特許請求の範囲】
【請求項１】
送信メッセージを記録する手段と、記録された前記送信メッセージに下りメッセージの送信を要求する上りメッセージがあるときは、当該上りメッセージの優先度を最も高く設定し、前記上りメッセージ以外の送信メッセージについては送信相手先を異にする複数の送信メッセージが記録された場合に、当該送信メッセージに付された制御情報のパラメータに応じて送信順位に優先度を設定する手段と、通信圏外か通信圏内かを判断する手段と、通信圏外から通信圏内に入った時に測定された受信電界強度レベルと設定値とを比較し通信可否を判断する手段と、測定された前記受信電界強度レベルが通信可のレベルであるとき、前記優先度の設定があるときは当該優先順位に従って、記録された前記送信メッセージを自動発信する手段と、を具備することを特徴とするメッセージ通信装置。
【請求項２】
前記自動発信する手段が記録された前記送信メッセージのうち前記上りメッセージ以外の送信メッセージを送信した場合において、異常切断が検出されたとき、設定値までの再送回数をカウントしつつ再送を実施する手段、を具備することを特徴とする請求項１記載のメッセージ通信装置。
【請求項３】
前記再送回数が前記設定値に到達したとき、所有者に送信エラーが生じた旨を報知する手段、を具備することを特徴とする請求項２記載のメッセージ通信装置。
【請求項４】
前記再送回数が前記設定値に到達したとき、当該送信メッセージの送信を保留状態にし、次の優先順位を持つ送信メッセージの送信処理に移行する手段、を具備することを特徴とする請求項２又は請求項３記載のメッセージ通信装置。
【請求項５】
前記自動発信する手段が記録された前記送信メッセージのうち前記上りメッセージ以外の送信メッセージを送信した場合において、メッセージ送信を開始したことを所有者に報知する手段、を具備することを特徴とする請求項１記載のメッセージ通信装置。
【請求項６】
前記自動発信する手段が記録された前記送信メッセージのうち前記上りメッセージ以外の送信メッセージを送信した場合において、記録された前記送信メッセージの送信状況を所有者に表示する手段、を具備することを特徴とする請求項１記載のメッセージ通信装置。
【発明の詳細な説明】
【０００１】
【発明の属する技術分野】
本発明は、基地局との間で通信を行う移動体無線端末であるメッセージ通信装置に関する。
【０００２】
【従来の技術】
メッセージ通信装置は、通常、基地局の通信圏内（通信サービスエリア内）において希望相手先との通信（メッセージ交換）が可能であり、通信圏外においては、希望相手先との通信ができない。しかし、所有者は、通信圏外にあることを知らずにメッセージの送信操作を行うことがある。
【０００３】
そこで、例えば、特許文献１では、通信圏外にて入力された送信メッセージを予め記録しておき、通信圏外から通信圏内に入ったときに自動発信し、記録された送信メッセージを送信するが、同一の送信先相手の送信メッセージが複数存在する場合は、その複数送信メッセージを圧縮し、まとめて送信することにより送信回数の低減を実現する技術が開示されている。
【０００４】
また、例えば、特許文献２では、通信圏外にて入力された送信メッセージを予め記録しておき、通信圏外から通信圏内に入ったときに自動発信し、記録された送信メッセージを送信するが、送信中はタイマ監視して送信が正常に終了したか、異常切断されたかを検出し、異常切断の場合は予め設定された再送回数を繰り返し送信する技術が開示されている。
【０００５】
【特許文献１】
特開平６−２２４８３８号公報（００２３〜００２８、図１）
【特許文献２】
特許第３２４９４６３号公報（０００９〜００１４、図１）
【０００６】
【発明が解決しようとする課題】
しかしながら、従来のメッセージ通信装置では、前記送信先相手の異なった複数の送信メッセージが記録された場合には、メッセージが記録された順番で送信メッセージを送信するので、記録された複数の送信メッセージの送信効率が落ち、最後に記録された送信メッセージの送信タイミングがかなり遅れることが予想される。
【０００７】
また、送信中に異常切断された場合は、送信に失敗した送信メッセージの再送を行うが、通信圏外から通信圏内に切り替わる電界強度の不安定な状況で再送すると送信中に失敗する可能性が高いので、送信に失敗した送信メッセージの容量が大きい場合には、他に優先度の高い記録された送信メッセージの送信を待たせることになる。
【０００８】
加えて、送信に失敗した送信メッセージの容量が大きい場合には、送信メッセージの再送を行うことで網トラフィックが上昇するので、送信メッセージを送信するための通信費や送信動作による電池を浪費し、メッセージ通信装置の通信可能時間を少なくするという問題がある。
【０００９】
さらに、現在の移動体通信システムでは、メッセージ通信装置は、下りメッセージ送信を要求する上りメッセージを送信することにより、網のサーバーから下りメッセージを受信するようになっている。そして、網のサーバーは、下りメッセージを送信するタイミングにおいてメッセージ通信装置が通信不可能な通信圏外にいたときは、その後、メッセージ通信装置が通信可能な通信圏内に復帰しても、メッセージ通信装置に対しすぐに下りメッセージを送信することはしない。
【００１０】
したがって、従来では、メッセージ通信装置は、通信可能な通信圏内に復帰したときに網のサーバーにアクセスし、下りメッセージの確認をするか、若しくは、通信圏外にいたときに送信した上りメッセージに対する下りメッセージが新たな下りメッセージと一緒に送られてくるので、それを待つことになる。
【００１１】
即ち、従来のメッセージ通信装置では、通信圏内復帰にリアルタイムで下りメッセージを受信できないので、下りメッセージを通信圏内復帰時にリアルタイムに受信するためには、所有者は、メッセージ通信装置のキー操作を行う必要があるという問題がある。
【００１２】
本発明は、かかる点に鑑みてなされたものであり、通信圏外から通信圏内に入ったときに送信メッセージを自動発信し送信する場合に、記録された複数の送信メッセージの送信効率を上げ、再送が発生してもその再送回数を減らすことができ、また通信圏外から通信圏内に入ったときに所有者が希望する優先度の高い送信メッセージを優先して送信することができ、リアルタイムに下りメッセージの受信が可能なメッセージ通信装置を提供することを目的とする。
【００１３】
【課題を解決するための手段】
本発明に係るメッセージ通信装置は、送信メッセージを記録する手段と、記録された前記送信メッセージに下りメッセージの送信を要求する上りメッセージがあるときは、当該上りメッセージの優先度を最も高く設定し、前記上りメッセージ以外の送信メッセージについては送信相手先を異にする複数の送信メッセージが記録された場合に、当該送信メッセージに付された制御情報のパラメータに応じて送信順位に優先度を設定する手段と、通信圏外か通信圏内かを判断する手段と、通信圏外から通信圏内に入った時に測定された受信電界強度レベルと設定値とを比較し通信可否を判断する手段と、測定された前記受信電界強度レベルが通信可のレベルであるとき、前記優先度の設定があるときは当該優先順位に従って、記録された前記送信メッセージを自動発信する手段と、を具備する構成を採る。
【００１４】
この構成によれば、通信圏外から通信圏内に入ったときに直ちに送信動作を開始するのではなく、測定された受信電界強度レベルが設定値を超えていて通信可のレベルであるときに送信動作を開始するので、送信失敗が発生する頻度を減らすことができ、記録された複数の送信メッセージの送信効率の向上が図れる。したがって、不要な発呼による網トラフィックを抑制し、送信メッセージを送信するための通信費の削減や不要な送信動作による電池の浪費を抑えることが可能となる。
【００１５】
また、この構成によれば、記録された送信メッセージに下りメッセージの送信を要求する上りメッセージがあるときは、当該上りメッセージの優先度を最も高く設定し、前記上りメッセージ以外の送信メッセージについては送信相手先を異にする複数の送信メッセージが記録された場合に、当該送信メッセージの属性に応じて送信順位に優先度を設定するようにしたので、通信圏外から通信圏内に入ったときに所有者の希望する優先度の高い送信メッセージを優先して送信することが可能になる。また、通信圏外から通信圏内に入ったときに上りメッセージが優先的に送信されるので、リアルタイムに下りメッセージの受信が可能となる。
【００１６】
本発明に係るメッセージ通信装置は、上記の発明において、前記自動発信する手段が記録された前記送信メッセージのうち前記上りメッセージ以外の送信メッセージを送信した場合において、異常切断が検出されたとき、設定値までの再送回数をカウントしつつ再送を実施する手段、を具備する構成を採る。
【００１７】
この構成によれば、送信中に異常切断が発生したときに行われる再送は設定値に到達するまで繰り返される。つまり、設定値を小さくすることで、再送回数を減らすことができる。
【００１８】
本発明に係るメッセージ通信装置は、上記の発明において、前記再送回数が前記設定値に到達したとき、所有者に送信エラーが生じた旨を報知する手段、を具備する構成を採る。
【００１９】
この構成によれば、再送回数が設定値に到達したときは、送信エラーが生じたとして所有者に知らせることができる。
【００２０】
本発明に係るメッセージ通信装置は、上記の発明において、前記再送回数が前記設定値に到達したとき、当該送信メッセージの送信を保留状態にし、次の優先順位を持つ送信メッセージの送信処理に移行する手段、を具備する構成を採る。
【００２１】
この構成によれば、再送回数が設定値に到達したときは、当該送信メッセージの送信を保留状態にし、次の優先順位を持つ送信メッセージの送信処理に移行するので、送信効率の向上が図れる。
【００２２】
本発明に係るメッセージ通信装置は、上記の発明において、前記自動発信する手段が記録された前記送信メッセージのうち前記上りメッセージ以外の送信メッセージを送信した場合において、メッセージ送信を開始したことを所有者に報知する手段、を具備する構成を採る。
【００２３】
この構成によれば、所有者は、記録した送信メッセージの送信が開始されたことを知ることができる。これによって、所有者が現在位置に立ち止まって安定した通信状態を確保する措置を採ると期待することができるので、容易に送信を完了することができ、送信効率の向上が図れる。
【００２４】
本発明に係るメッセージ通信装置は、上記の発明において、前記自動発信する手段が記録された前記送信メッセージのうち前記上りメッセージ以外の送信メッセージを送信した場合において、記録された前記送信メッセージの送信状況を所有者に表示する手段、を具備する構成を採る。
【００２５】
この構成によれば、所有者は、記録された送信メッセージが未送信状態であるか送信中であるかなどの送信状況を知ることができる。これによって、所有者は、送信メッセージの送信完了を実現するためにより良い通信状態を確保する何らかの措置を検討し実行すると期待することができるので、早期に送信メッセージの送信を完了することができ、送信効率の向上が図れる。
【００２６】
【発明の実施の形態】
本発明の骨子は、通信圏外から通信圏内に入ったときに送信メッセージを自動発信し送信する場合に、記録された複数の送信メッセージの送信効率を上げ、送信メッセージの再送回数を減らすことで不要な発呼による網トラフィックを抑制し、送信メッセージを送信するための通信費の削減や不要な送信動作による電池の浪費を抑えることである。
【００２７】
また、本発明の骨子は、通信圏外から通信圏内に入ったときに送信メッセージを自動発信し送信する場合に、所有者が希望する優先度の高い送信メッセージを優先して送信することができ、また通信圏外から通信圏内に入ったときに特別のキー操作をすることなくリアルタイムに下りメッセージの受信ができるようにすることである。
【００２８】
以下、本発明の実施の形態について、添付図面を参照して詳細に説明する。
【００２９】
（実施の形態）
図１は、本発明の一実施の形態に係るメッセージ通信装置１００の構成を示すブロック図である。図１において、メッセージ通信装置１００は、ＰＨＳや、ＰＤＣ、Ｗ−ＣＤＭＡなどの移動体通信システムにおける移動無線端末である。メッセージ通信装置１００は、無線部１１０とスピーカー＆マイク１２０とキー入力操作部１３０と表示部１４０と記憶部１５０と以上の各部を制御等する制御部１６０とを備えている。
【００３０】
無線部１１０は、受信部１１１と送信部１１２とを備え、図示しない基地局との間で無線信号の送受信を行うことでネットワークとの通信を実現する。スピーカー＆マイク１２０は、所有者が通話時や音声メッセージの記録時に使用する。バイブ＆ブザー１２５は、着信を所有者に通知し、また記録済みメッセージの送信を開始したことを所有者に通知する。
【００３１】
キー入力操作部１３０は、所有者が通話時や送信メッセージの記録時、メッセージ通信装置１００の各種制御設定情報や属性の入力時などに使用する。例えば、送信メッセージがメールの場合は、キー入力操作部１３０によってメールを作成することができる。表示部１４０は、通話発信時の送信先相手番号や、受信電界強度の状態、送信メッセージの記録内容や設定状態などを表示する。
【００３２】
記憶部１５０は、送信メッセージ記録部１５１と送信メッセージ優先設定部１５２とメッセージ送信開始電界強度設定部１５３と受信メッセージ記録部１５４とを備えている。
【００３３】
送信メッセージ記録部１５１には、メッセージ通信装置１００が通信圏外から通信圏内に入ったときに自動発信する際に用いる制御情報と送信メッセージとが記録される（図２参照）。これらは、スピーカー＆マイク１２０やキー入力操作部１３０から入力される。送信メッセージ記録部１５１には、メモリサイズの許す限り複数の送信メッセージが記録可能である。なお、メッセージとは、人の声である音声メッセージや電子メールによるメッセージである。送信メッセージ記録部１５１に記録される送信メッセージには、網のサーバーに対して下りメッセージの送信を要求する上りメッセージも含まれている。
【００３４】
図２は、送信メッセージ記録部１５１の構成例を示す図である。なお、図２では、上記制御情報の記録部が示されている。すなわち、制御情報の記録部は、例えば図２に示すように、番号（Ｎｏ）の欄２０１と、送信先相手の欄２０２と、属性の欄２０３と、予想送信時間の欄２０４とからなる。
【００３５】
番号（Ｎｏ）の欄２０１には、メッセージが記録された順番を示す番号が記入される。送信先相手の欄２０２には、送信メッセージが電子メールであればメールアドレスが記入され、音声メッセージであれば電話番号が記入される。属性の欄２０３には、送信メッセージが電子メールであるか音声メッセージであるかが記入される。予想送信時間の欄２０４には、送信メッセージの通信に要する予想時間が記入される。
【００３６】
送信メッセージ優先設定部１５２は、送信メッセージ記録部１５１に記録された送信メッセージに下りメッセージの送信を要求する上りメッセージがあるときは、当該上りメッセージの優先度を最も高く設定する。
【００３７】
そして、送信メッセージ優先設定部１５２は、送信メッセージ記録部１５１に記録される上りメッセージ以外の送信メッセージについては、送信相手先を異にする複数のメッセージが存在する場合に、送信メッセージの送信順番（優先順位）を各送信メッセージに付された上記制御情報のパラメータ（記録の順番、送信先相手、属性、予想送信時間）によって設定するようになっている。
【００３８】
図３は、送信メッセージ優先設定部１５２の構成例を示す図である。送信メッセージ優先設定部１５２では、例えば図３（１）に示すように、優先フラグ３０１とそれに対する優先内容である送信受信優先３０２，送信メッセージ優先設定３０３とが設定される。
【００３９】
優先フラグ３０１は、現在有効であることを示す「ＯＮ状態」と現在無効であることを示す「ＯＦＦ状態」とからなる。送信受信優先３０２では、網のサーバーからの「受信メッセージ」を優先するか、一般の「送信メッセージ」を優先するかで分けられている。
【００４０】
送信メッセージ優先設定３０３では、送信受信優先３０２が「受信メッセージ」であるときに、「電子メール受信要求送信優先」であることが示されている。また、送信受信優先３０２が「送信メッセージ」であるときに、「電子メール送信優先」「音声メッセージ送信優先」「短い送信時間メッセージ送信優先」「送信先相手番号優先」のいずれかであることが示されている。
【００４１】
そして、「送信先相手番号優先」であるときは、図３（２）に示すように、順番を示す番号（Ｎｏ）３０４と送信先相手番号（電話番号、メールアドレス）３０５とが設定されるようになっている。なお、図３（１）では、「送信メッセージ」「短い送信時間メッセージ送信優先」に対する優先フラグ３０１がＯＮ状態に設定され、その他の優先フラグ３０１がＯＦＦ状態に設定された場合が示されている。
【００４２】
また、メッセージ送信開始電界強度設定部１５３は、送信メッセージの自動発信を許可する電界強度レベルを設定するようになっている。受信メッセージ記録部１５４は、受信された音声メッセージや電子メールのメッセージを記憶するようになっている。
【００４３】
次に、制御部１６０は、電界強度測定部１６１と無線通信制御部１６２とメッセージ送信制御部１６３とを備えている。電界強度測定部１６１は、現在のメッセージ通信装置１００における受信電波の電界強度を測定する。無線通信制御部１６２は、ネットワークを介しての通話機能を実現するために基地局と制御信号の授受を行い、電波不安定な状態において切断したときはメッセージ送信制御部１６３に異常切断した旨の通知を行うようになっている。
【００４４】
メッセージ送信制御部１６３は、送信メッセージ記録部１５１に記録された送信メッセージを送信するときに、どの送信メッセージから優先的に送信するかを送信メッセージ優先設定部１５２を参照して決定し、再送等の制御を実行する。
【００４５】
以下、図４、図５を参照して、上記のように構成されるメッセージ通信装置１００の動作を説明する。なお、図４は、図１に示すメッセージ通信装置の動作を説明するフローチャートである。図５は、記録済みメッセージ送信処理の処理手順を詳細に説明するフローチャートである。
【００４６】
図４において、キー入力操作部１３０から送信するメッセージ入力が開始されるまで入力待ち状態を続ける（ステップＳＴ４１０）。キー入力操作部１３０から送信メッセージ入力のモードが入力されると（ステップＳＴ４１０：Ｙｅｓ）、キー入力操作部１３０から入力される送信先相手の電話番号や電子メールアドレスが送信メッセージ記録部１５１に記録される（ステップＳＴ４１１）。また、スピーカー＆マイク１２０から送信メッセージ（音声メッセージ）ないしはキー入力操作部１３０入力される送信メッセージ（メールメッセージ）が送信メッセージ記録部１５１に記録される（ステップＳＴ４１２）。
【００４７】
このように送信先相手番号と送信メッセージが送信メッセージ記録部１５１に記録されると、送信メッセージ優先設定部１５２では、優先順位の設定が行われる（ステップＳＴ４１３）。そして、メッセージ送信制御部１６３は、キー入力操作部１３０等から送信メッセージ記録部１５１に記録された送信メッセージの自動送信を行うシーケンス開始するために、電界強度測定部１６１から現在の受信電界強度状態を入手し、メッセージ通信装置１００が通信圏内に居るか通信圏外に居るか、さらに通信可能か否かを判定する（ステップＳＴ４１４）。
【００４８】
メッセージ通信装置１００が通信圏外に居る場合は（ステップＳＴ４１４：Ｎｏ）、メッセージ送信制御部１６３は、送信メッセージを送信待ち状態とし、つまり送信予約の状態とし（ステップＳＴ４２６）、メッセージ通信装置１００が通信圏内に入るのを待つためにステップＳＴ４１４に戻る。
【００４９】
また、メッセージ通信装置１００が通信圏内に居る場合は（ステップＳＴ４１４：Ｙｅｓ）、メッセージ送信制御部１６３は、電界強度測定部１６１から取得した受信電界強度と、メッセージ送信開始電界強度設定部１５３に予め設定されている送信メッセージを送信可能な電界強度レベルとを比較し、現在の電界強度レベルにおいて送信可能か否かを判定する（ステップＳＴ４１５）。
【００５０】
その結果、送信不可能であれば（ステップＳＴ４１５：Ｎｏ）、送信予約の状態とし（ステップＳＴ４２６）、ステップＳＴ４１４に戻る。一方、送信可能であれば（ステップＳＴ４１５：Ｙｅｓ）、メッセージ送信制御部１６３は、送信メッセージ優先設定部１５２の優先フラグが下りメッセージ受信優先を指示しているか否かを確認する（ステップＳＴ４１６）。
【００５１】
メッセージ送信制御部１６３は、送信メッセージ優先設定部１５２の優先フラグが下りメッセージ受信優先を指示している場合は（ステップＳＴ４１６：Ｙｅｓ）、網側のサーバーに対し下りメッセージ送信を要求する上りメッセージ（コマンドメッセージ）の送信を行い（ステップＳＴ４１８）、網側のサーバーからの下りメッセージが受信できる状態にする（ステップＳＴ４１９）。そして、メッセージ送信制御部１６３は、網側のサーバーからの下りメッセージを受信した後、または、受信するメッセージがない場合にステップＳＴ４１４に戻る。
【００５２】
一方、メッセージ送信制御部１６３は、送信メッセージ優先設定部１５２の優先フラグが記録済みメッセージ送信優先を指示している場合は（ステップＳＴ４１６：Ｎｏ）、後述する図５に示す手順で送信メッセージ記録部１５１に記録されている送信メッセージ（音声メッセージ、電子メールメッセージ）を送信する（ステップＳＴ４１７）。
【００５３】
メッセージ送信制御部１６３は、送信メッセージ記録部１５１に記録された全てのメッセージの送信が終了したか否かを確認し（ステップＳＴ４２０）、終了するまで（ステップＳＴ４２０：Ｎｏ）、ステップＳＴ４１４〜ステップＳＴ４２０の処理を繰り返す。
【００５４】
メッセージ送信制御部１６３は、送信メッセージ記録部１５１に記録された全てのメッセージの送信が終了したことの確認ができると（ステップＳＴ４２０：Ｙｅｓ）、通信回線が正常に切断されたか否かを判断する（ステップＳＴ４２１）。そして、正常切断であれば（ステップＳＴ４２１：Ｙｅｓ）、入力待ち状態（ステップＳＴ４１０）に戻る。
【００５５】
一方、送信メッセージの送信が全て送信されず通信不通となり異常切断された場合は（ステップＳＴ４２１：Ｎｏ）、メッセージ送信制御部１６３は、再送回数をカウントするカウンタをインクリメントし（ステップＳＴ４２２）、送信メッセージの再送回数が送信エラーとして定めた設定値に達したか否かを判定する（ステップＳＴ４２３）。メッセージ送信制御部１６３は、送信メッセージの再送回数が設定値に達していなければ（ステップＳＴ４２３：Ｎｏ）、送信予約の状態とし（ステップＳＴ４２６）、ステップＳＴ４１４に戻る。
【００５６】
また、メッセージ送信制御部１６３は、送信メッセージの再送回数が設定回数に達していれば（ステップＳＴ４２３：Ｙｅｓ）、再送できなかった送信メッセージを送信保留の状態にし、所有者に対してスピーカー＆マイク１２０からエラー通知音を発生するか、表示部１４０にエラー通知の表示を行う（ステップＳＴ４２４）。そして、メッセージ送信制御部１６３は、記録された送信メッセージのうち次の送信順位にある送信メッセージを送信可能な状態に設定し（ステップＳＴ４２５）、送信予約を行い（ステップＳＴ４２６）、ステップＳＴ４１４に戻る。
【００５７】
次に、図５において、メッセージ送信制御部１６３は、送信メッセージ記録部１５１に記録された送信メッセージを検索し（ステップＳＴ５０１）、送信メッセージがある場合は（ステップＳＴ５０１：Ｙｅｓ）、送信メッセージの送信が新規であるか否か判断する（ステップＳＴ５０２）。送信メッセージの送信が新規であれば（ステップＳＴ５０２：Ｙｅｓ）、再送回数カウンタをクリアし（ステップＳＴ５０３）、ステップＳＴ５０４に進む。また、送信メッセージの送信が新規でなければ（ステップＳＴ５０２：Ｎｏ）、つまり、送信を試みた送信メッセージであれば直接ステップＳＴ５０４に進む。
【００５８】
ステップＳＴ５０４では、メッセージ通信装置１００の記録済み送信メッセージの状態を表示部１４０に表示し、またスピーカー＆マイク１２０から音声にて通知する。この場合の表示等の内容としては、記録済み送信メッセージの未送信数、現在送信中などである。そして、送信メッセージを送信する処理を実施し（ステップＳＴ５０５）、再度、メッセージ通信装置１００の状態表示を行い（ステップＳＴ５０６）、ステップＳＴ４２０に進む。
【００５９】
ステップＳＴ５０６での状態表示方法としては、所有者に明確にわかるように、表示部１４０にアイコン表示などで表示をする。所有者に送信開始したことを通知する方法としては、所有者が常に表示部１４０を確認することは面倒であるので、バイブ＆ブザー１２５を利用して音や振動にて通知することとする。
【００６０】
所有者は、表示や、音、振動にて、送信を開始したことの確認ができれば、現在通信している場所に立ち止まるなどを行って安定した通信状態を確保する措置を採ることが期待できるので、送信を容易に完了することができる。
【００６１】
また、所有者は、送信メッセージの未送信状態を知ることで、送信メッセージの送信を完了するために、より良い通信状態の確保する何らか対策を検討することになるので、結果的に早期にメッセージを送信完了することができる。
【００６２】
このように、本実施の形態によれば、通信圏外から通信圏内に入ったときに直ちに送信動作を開始するのではなく、測定された受信電界強度レベルが設定値を超えていて通信可のレベルであるときに送信動作を開始するので、送信失敗が発生する頻度を減らすことができ、記録された複数の送信メッセージの送信効率の向上が図れる。したがって、不要な発呼による網トラフィックを抑制し、送信メッセージを送信するための通信費の削減や不要な送信動作による電池の浪費を抑えることが可能となる。
【００６３】
また、本実施の形態によれば、記録された送信メッセージに下りメッセージの送信を要求する上りメッセージがあるときは、当該上りメッセージの優先度を最も高く設定するので、通信圏外から通信圏内に入ったときに上りメッセージが優先的に送信される。したがって、特別のキー操作を行うことなく、リアルタイムに下りメッセージの受信が可能となる。
【００６４】
さらに、本実施の形態によれば、記録された送信メッセージのうち、前記上りメッセージ以外の送信メッセージについては送信相手先を異にする複数の送信メッセージが記録された場合に、当該送信メッセージに付された制御情報のパラメータに応じて送信順位に優先度を設定するようにしたので、通信圏外から通信圏内に入ったときに所有者の希望する優先度の高い送信メッセージを優先して送信することが可能になる。
【００６５】
【発明の効果】
以上説明したように、本発明によれば、通信圏外から通信圏内に入ったときに送信メッセージを自動発信し送信する場合に、記録された複数の送信メッセージの送信効率を上げ、再送が発生してもその再送回数を減らすことができ、また通信圏外から通信圏内に入ったときに所有者が希望する優先度の高い送信メッセージを優先して送信することができ、リアルタイムに下りメッセージの受信が可能となる。
【図面の簡単な説明】
【図１】本発明の一実施形態に係るメッセージ通信装置の構成を示すブロック図
【図２】図１に示す送信メッセージ記録部の構成例を示す図
【図３】図１に示す送信メッセージ優先設定部の構成例を示す図
【図４】図１に示すメッセージ通信装置の動作を説明するフローチャート
【図５】記録済みメッセージ送信の処理手順を詳細に説明するフローチャート
【符号の説明】
１００  メッセージ通信装置
１１０  無線部
１１１  受信部
１１２  送信部
１２０  スピーカー＆マイク
１２５  バイブ＆ブザー
１３０  キー入力操作部
１４０  表示部
１５０  記憶部
１５１  送信メッセージ記録部
１５２  送信メッセージ優先設定部
１５３  メッセージ送信開始電界強度設定部
１５４  受信メッセージ記録部
１６０  制御部
１６１  電界強度測定部
１６２  無線通信制御部
１６３  メッセージ送信制御部
【図１】
2004320166.tif 000003
【図２】
2004320166.tif 000004
【図３】
2004320166.tif 000005
【図４】
2004320166.tif 000006
【図５】
2004320166.tif 000007